(57)【要約】【課題】本発明は、１個のマイクロフォンで様々な方向からの音声を記録することができるカメラを実現する。【解決手段】マイクロフォン７が支持され、カメラボディ２に収納位置および突出位置に移動可能に取り付けられたマイクロフォンホルダ２０と、マイクロフォンホルダ２０を回転させてマイクロフォン７の向きを切り替える操作子１０とを備えた。【選択図】        図１
2004186774.tif 000002
【特許請求の範囲】
【請求項１】
カメラボディと、前方の被写体を結像する撮影レンズと、音声を集音するマイクロフォンとを備え、撮影操作に応じて前記撮影レンズを経由して入射した被写体を捉えて撮影を行うと共に前記マイクロフォンによる音声の収録を行うカメラにおいて、
前記マイクロフォンが支持され、前記カメラボディに回転自在でかつ収納位置および突出位置に移動可能に取り付けられたマイクロフォンホルダを備えたことを特徴とするカメラ。
【請求項２】
前記マイクロフォンホルダには、該マイクロフォンホルダを回転操作する操作子が設けられていることを特徴とする請求項１記載のカメラ。
【請求項３】
前記マイクロフォンホルダには、該マイクロフォンホルダを回転操作する操作子がギヤを介して連結されていることを特徴とする請求項１記載のカメラ。
【請求項４】
前記操作子は、撮影時に被写体側からの音声を収録する第１の撮影モードと撮影時に撮影操作者の音声を収録する第２の撮影モードとの少なくとも２つの撮影モードとの間で撮影モードを切り替えるものであり、
前記マイクロフォンホルダは、前記マイクロフォンを支持し、該マイクロフォンを前記操作子の操作に応じて前記第１の撮影モードにおいてはカメラ前方に向け、前記第２の撮影モードにおいてはカメラ後方に向けるものであることを特徴とする請求項１記載のカメラ。
【請求項５】
前記操作子は、モード切替操作に応じて回動自在に前記カメラボディに支持されたものであり、前記マイクロフォンホルダは、前記マイクロフォンをカメラ前方に向けた姿勢と前記マイクロフォンをカメラ後方に向けた姿勢との間で回動自在なものであって、
前記操作子が前記第１の撮影モードに応じた位置および前記第２の撮影モードに応じた位置に回動操作されることにより前記マイクロフォンホルダが前記マイクロフォンを各々前方に向けた姿勢および後方に向けた姿勢に回動させるように前記操作子の回動を前記マイクロフォンホルダに伝える操作伝達機構を備えたことを特徴とする請求項４記載のカメラ。
【請求項６】
前記マイクロフォンホルダが、前記操作子を先端に備えると共に、前記操作子と一体的に回動軸のまわりの回動および該回動軸方向へスライドを行う、前記マイクロフォンが該回動軸に対し横に向いた状態に埋め込まれてなる回転対称形のものであり、
前記カメラボディが、前記マイクロフォンホルダを収容する凹部を有すると共に該凹部壁面から突出したカムピンを有し、
前記マイクロフォンホルダが、該マイクロフォンホルダの側面に該カムピンが嵌入し該マイクロフォンホルダの回動に応じて該カムピンとの係合により該マイクロフォンホルダをスライドさせるカム溝を有するものであって、該回動に応じたスライドにより前記マイクロフォンを前記凹部に収納または突出させると共に前方または後方に向けるものであることを特徴とする請求項４記載のカメラ。
【請求項７】
前記操作子は、内面にカムピンが突出され、前記カメラボディに回動自在に取り付けられたリング状のものであり、
前記マイクロフォンホルダは、該マイクロフォンホルダの側面に前記カムピンが嵌入し前記操作子の操作に応じて該マイクロフォンホルダをスライドおよび回動させるカム溝を有するものであって、該スライドに応じた回動により前記マイクロフォンを前方または後方に向けるものであることを特徴とする請求項４記載のカメラ。
【請求項８】
前記マイクロフォンは、該マイクロフォンが向いた特定の方向に対して集音性が高い指向性のものであることを特徴とする請求項１記載のカメラ。
【発明の詳細な説明】
【０００１】
【発明の属する技術分野】
本発明は、音声を集音するマイクロフォンを備えたカメラに関する。
【０００２】
【従来の技術】
従来、音声を集音するマイクロフォンを備えたデジタルカメラまたはビデオカメラが知られている。
【０００３】
例えば、従来のビデオカメラにおいて、光軸と同じ方向に配置したマイクロフォンのほかに、光軸と異なる様々な方向に向けて配置した複数のマイクロフォンを設け、様々な方向からの音声を記録する技術がある（例えば、特許文献１参照）。
【０００４】
【特許文献１】
特開平８−２８９１８２号公報
【０００５】
【発明が解決しようとする課題】
様々な方向からの音声を記録するには、全方向からの音声を集音できる全方向性のマイクロフォンを使用することが考えられる。しかし、このように全方向性のマイクロフォンを使用した場合、必要な方向からの音声以外の不要な音声（雑音）が入りやすい。これを防止するためには、指向性のあるマイクロフォンを使用せざるを得ず、そうすると上記の特許文献１のように、様々な方向からの音声を記録するために複数個のマイクロフォンを設ける必要があった。ところがこのように、複数のマイクロフォンを使用する構成では、部品点数が増え、コストアップにつながるという問題がある。
【０００６】
本発明は、上記事情に鑑み、１個のマイクロフォンで様々な方向からの音声を記録することができるカメラを提供することを目的とする。
【０００７】
【課題を解決するための手段】
上記目的を達成する本発明のカメラは、カメラボディと、前方の被写体を結像する撮影レンズと、音声を集音するマイクロフォンとを備え、撮影操作に応じて前記撮影レンズを経由して入射した被写体を捉えて撮影を行うと共に前記マイクロフォンによる音声の収録を行うカメラにおいて、
前記マイクロフォンが支持され、前記カメラボディに収納位置および突出位置に移動可能に取り付けられたマイクロフォンホルダと、
前記マイクロフォンホルダを回転させて前記マイクロフォンの向きを切り替える操作子とを備えたことを特徴とする。
【０００８】
本発明のカメラでは、操作子を回動させることによりマイクロフォンホルダを介してマイクロフォンを任意の方向に向けることができる。したがって、例えば撮影モードのときはマイクロフォンを前方に向けて撮影する被写体の方向からの音声を集音したり、あるいは撮影者が音声メモとして残しておきたい場合はマイクロフォンを後方に向けて撮影者の音声を収録することができる。このように１個のマイクロフォンだけで様々な方向からの音声を記録することができる。
【０００９】
前記マイクロフォンホルダには、該マイクロフォンホルダを回転操作する操作子が設けられていることが好ましい。
【００１０】
前記マイクロフォンホルダには、該マイクロフォンホルダを回転操作するダイヤル操作子がギヤを介して連結されていることが好ましい。
【００１１】
前記操作子は、撮影時に被写体側からの音声を収録する第１の撮影モードと撮影時に撮影操作者の音声を収録する第２の撮影モードとの少なくとも２つの撮影モードとの間で撮影モードを切り替えるものであり、
前記マイクロフォンホルダは、前記マイクロフォンを支持し、該マイクロフォンを前記操作子の操作に応じて前記第１の撮影モードにおいてはカメラ前方に向け、前記第２の撮影モードにおいてはカメラ後方に向けるものであることが好ましい。
【００１２】
前記操作子は、モード切替操作に応じて回動自在に前記カメラボディに支持されたものであり、前記マイクロフォンホルダは、前記マイクロフォンをカメラ前方に向けた姿勢と前記マイクロフォンをカメラ後方に向けた姿勢との間で回動自在なものであって、前記操作子が前記第１の撮影モードに応じた位置および前記第２の撮影モードに応じた位置に回動操作されることにより前記マイクロフォンホルダが前記マイクロフォンを各々前方に向けた姿勢および後方に向けた姿勢に回動させるように前記操作子の回動を前記マイクロフォンホルダに伝える操作伝達機構を備えることが好ましい。
【００１３】
前記マイクロフォンホルダが、前記操作子を先端に備えると共に、前記操作子と一体的に回動軸のまわりの回動および該回動軸方向へスライドを行う、前記マイクロフォンが該回動軸に対し横に向いた状態に埋め込まれてなる回転対称形のものであり、
前記カメラボディが、前記マイクロフォンホルダを収容する凹部を有すると共に該凹部壁面から突出したカムピンを有し、
前記マイクロフォンホルダが、該マイクロフォンホルダの側面に該カムピンが嵌入し該マイクロフォンホルダの回動に応じて該カムピンとの係合により該マイクロフォンホルダをスライドさせるカム溝を有するものであって、該回動に応じたスライドにより前記マイクロフォンを前記凹部に収納または突出させると共に前方または後方に向けるものであることが好ましい。
【００１４】
前記操作子は、内面にカムピンが突出され、前記カメラボディに回動自在に取り付けられたリング状のものであり、
前記マイクロフォンホルダは、該マイクロフォンホルダの側面に前記カムピンが嵌入し前記操作子の操作に応じて該マイクロフォンホルダをスライドおよび回動させるカム溝を有するものであって、該スライドに応じた回動により前記マイクロフォンを前方または後方に向けるものであることが好ましい。
【００１５】
前記マイクロフォンは、特定の方向に対して集音性が高い指向性のものであることが好ましい。
【００１６】
【発明の実施の形態】
以下、本発明の実施形態について説明する。
【００１７】
図１は、本発明の実施形態１に係わるカメラの斜視図、図２は背面図である。
【００１８】
図１において、カメラ１は、カメラボディ２、前方の被写体を結像する撮影レンズ３、ファインダ４、表示パネル５、シャッタボタン６および音声を集音するマイクロフォン７を備え、シャッタボタン６による撮影操作に応じて撮影レンズ３を経由して入射した被写体を捉えて撮影を行うと共に、必要に応じて前記マイクロフォン７による音声の収録を行うようになっている。
【００１９】
図３は、実施形態１におけるマイクロフォンホルダおよび操作伝達機構の斜視図、図４はマイクロフォンホルダの断面図である。
【００２０】
カメラボディ２の上部背面側に、ダイヤル状の操作子１０が回動軸１１に固着されて配置されている。回動軸１１の下部にはギヤ１２が取り付けられ、このギヤ１２にマイクロフォンホルダ１４の上部に固着されたギヤ１３が噛み合っている。
【００２１】
マイクロフォン７は、円柱状の外ケース８に取り付けられ、マイクロフォン７からはワイヤハーネス９が外ケース８外に導出されている。外ケース８の外周にはリング状の係合溝１６が形成されている。上記マイクロフォンホルダ１４は、半円形の凹部１７が形成された板状のもので、凹部１７の外周縁が係合溝１６に嵌め込まれることによりマイクロフォン７がマイクロフォンホルダ１４に保持される。
【００２２】
図１および図２に示すように、マイクロフォン７は、カメラボディ２の側部に形成された窓部１８に配置されている。窓部１８には保護用のマイクネット１９が設けられている。
【００２３】
操作子１０を指で回動させることにより、回動軸１１、ギヤ１２，１３、マイクロフォンホルダ１４を介してマイクロフォン７が任意の方向に回動する。したがって、例えば、撮影モードのときはマイクロフォン７を前方に向け、撮影する被写体の方向からの音声を集音する。そして、撮影者が音声メモとして残しておきたい場合は、マイクロフォン１４を後方に向けて撮影者の音声を収録する。
【００２４】
図５は、本発明の実施形態２に係わるカメラの斜視図、図６は背面図、図７は側面図である。
【００２５】
カメラボディ２の縦方向の凹部２２に配置された円筒形のマイクロフォンホルダ２０の内部に横方向を向くマイクロフォン７が収納され、上端部にはダイヤル状の操作子１０が設けられ、外周にはらせん状のカム溝２１が形成されている。マイクロフォンホルダ２０はカメラボディ２に設けられた凹部２２に回動自在に嵌め込まれている。凹部２２の壁面には、カム溝２１に嵌入されるカムピン２３が突出している。凹部２２の前面にはマイクネット１９が設けられている。
【００２６】
図５、図６および図７（ａ）に示すように、マイクロフォンホルダ２０が下降し、凹部２２に収納されている状態では、マイクロフォン７は後方に向いており、撮影者の音声を収録することができる。操作子１０を回動させると、カム溝２１がカムピン２３に当たって移動し、図７（ｂ）に示すように、マイクロフォンホルダ２０は上昇すると共に、マイクロフォン７は前方を向き、撮影する被写体の方向からの音声を集音することができる。
【００２７】
図８は、本発明の実施形態３に係わるカメラの要部の断面図、図９動作状態の要部の断面図である。
【００２８】
凹部２２に縦方向に配置された円筒形のマイクロフォンホルダ２０の内部に横方向を向くマイクロフォン７が収納され、上端部にはダイヤル状の操作子１０が一体に設けられ、下部にはギヤ部３５が設けられている。ギヤ部３５と凹部２２の底部との間に圧縮ばね３６が装着されている。ギヤ部３５の外周には、カメラボディ２に回転自在に設けられたダイヤル操作子３７が噛み合っている。マイクロフォンホルダ２０の外周には出没するばね性の係止片３８が設けられ、この係止片３８がカメラボディ２の段部３９に係止している。カメラボディ２のは係止片３８を操作する操作ピン４０が設けられている。
【００２９】
操作ピン４０を押すと係止片３８が段部３９から外れ、図９に示すように、圧縮ばね３６の力でマイクロフォンホルダ２０はポップアップする。この状態で操作子３７を回動操作すると、ギヤ部３５を介してマイクロフォンホルダ２０が任意の方向に回動し、マイクロフォン７を任意の方向に向けることができる。なお、この回動操作はマイクロフォンホルダ２０を指で直接行うことも可能であり、この場合は操作子１０、３７およびギヤ３５の機構はなくてもよい。
【００３０】
図１０は、本発明の実施形態４に係わるカメラの斜視図、図１１は要部の断面図、図１２は分解斜視図である。
【００３１】
横方向に配置された円筒形のマイクロフォンホルダ２０の内部に横方向を向くマイクロフォン７が収納されている。マイクロフォンホルダ２０の後部には、外周にらせん状のカム溝２５が形成されている円柱カム部２６が設けられている。マイクロフォンホルダ２０はカメラボディ２に設けられた凹部２２に回動自在に嵌め込まれている。円柱カム部２６の後部にはばね２７が設けられ、マイクロフォンホルダ２０を凹部２２から押し出す方向に付勢している。マイクロフォン７に接続され、円柱カム部２６から導出されたワイヤハーネス２８はコネクタ２９に接続されている。
【００３２】
カメラボディ２には、円柱カム部２６の外周に位置するリング状の操作子３０が回動自在に取り付けられている。この操作子３０の内周にはカム溝２５に嵌入されるカムピン３２が突出され、外周上部には操作つまみ３１が設けられている。
【００３３】
図１１に示すように、マイクロフォンホルダ２０が押し込まれて凹部２２に収納されている状態では、マイクロフォン７は後方に向いており、撮影者の音声を収録することができる。つまみ３１を持って操作子３０を回動させると、カムピン３２がカム溝２５に当たって円柱カム部２６が移動し、図１０および図１１鎖線に示すように、マイクロフォンホルダ２０はが凹部２２から突出すると共に、マイクロフォン７は前方を向き、撮影する被写体の方向からの音声を集音することができる。
【００３４】
以上、実施形態１〜４を示したが、マイクロフォン７の向きを自由に変化させる機構であればどのような機構でもよく、上記実施形態に限定されない。
【００３５】
【発明の効果】
以上、説明したように、本発明によれば、１個のマイクロフォンだけで様々な方向からの音声を記録することができ、安価なマイクロフォン付きカメラが実現できる。
【図面の簡単な説明】
【図１】本発明の実施形態１に係わるカメラの斜視図である。
【図２】実施形態１のカメラの背面図である。
【図３】実施形態１のカメラの要部の分解斜視図である。
【図４】実施形態１のマイクロフォンホルダの断面図である。
【図５】本発明の実施形態２に係わるカメラの斜視図である。
【図６】実施形態２のカメラの背面図である。
【図７】実施形態２のカメラの側面図で、（ａ）は音声メモ時、（ｂ）は撮影時のマイクロフォンの位置を示す。
【図８】本発明の実施形態３に係わるカメラの要部の断面図である。
【図９】実施形態３における動作状態の要部の断面図である。
【図１０】本発明の実施形態４に係わるカメラの斜視図である。
【図１１】実施形態４のカメラの要部の断面図である。
【図１２】実施形態４のカメラの分解斜視図である。
【符号の説明】
１    カメラ
２    カメラボディ
３    撮影レンズ
６    シャッタボタン
７    マイクロフォン
１０    操作子
１４、２０    マイクロフォンホルダ
１２，１３    ギヤ（操作伝達機構）
【図１】
2004186774.tif 000003
【図２】
2004186774.tif 000004
【図３】
2004186774.tif 000005
【図４】
2004186774.tif 000006
【図５】
2004186774.tif 000007
【図６】
2004186774.tif 000008
【図７】
2004186774.tif 000009
【図８】
2004186774.tif 000010
【図９】
2004186774.tif 000011
【図１０】
2004186774.tif 000012
【図１１】
2004186774.tif 000013
【図１２】
2004186774.tif 000014